(57)【要約】      （修正有）【課題】着脱時の不便さを改善し健康増進機能を有する機能性装身具の提供。【解決手段】着脱装用性を踏まえその構造をシンプルにしたことで、装着脱が簡便にて短縮され、その成分組成をサマリウムコバルト系乃至フェライト系若しくは希土類プラス、フェライトのハイブリット磁石を特徴とする組成体を嵌合せしめ、その組成体より発現する機能性イオンが、自然環境での最良と言われている、森林・川辺・滝壷の周辺に於ける約５００〜３０００個のネガティブイオンが存在している事から、それと同等にしたことで、理想的なイオン環境数値といえる。それは機能性イオンが生体に取り込まれると、生体を酸性傾向からアルカリ性傾向になり、免疫力を高めるという事も含め、磁力の効能を更に向上する。【選択図】図１
0003117851.tif 000002
【実用新案登録請求の範囲】
【請求項１】
本考案は、ベルト及びブレスレット乃至アンクレット用の止め具及び締め具にして、装用具。
【請求項２】
本考案は、その成分組成がゲルマニウム及びラジウム乃至トリウム、若しくはセレニウム、の何れか１つ以上の成分組成からなる微量放射生物質で、法規制３７０ベクレル以下を２５％程度及びボロン５％程度が含まれていることを特徴とする、請求項１の装用具。
【請求項３】
本考案は、磁性体止め具及び締め具にして、その止め具乃至締め具の表面に於いて磁束密度が約５０〜１００ｍＴであることを特徴とする、請求項１、請求項２の磁気装用具。
【考案の詳細な説明】
【技術分野】
【０００１】  本考案は、微量放射線ホルミシス及びネガティブイオン乃至遠赤外線を応用した、健康増進機能を有する止め具及び締め具にして、機能性装用具に関する。
【背景技術】
【０００２】  従前より、磁石を応用した健康磁気装用具は多数存在するが、例えば多数の連結部材で繋ぎ合わせ接続具に装飾品を組み合わせたネックレス、ブレスレットが、健康に対して良好であったことからブームと成り普及に弾みをつけた。
【実用新案文献１】
登録実用新案３０２１２２５号
【０００３】  従前より、金乃至銀、またはプラチナなど、貴金属と遠赤外線を放射するセラミックス及び鉱石を組み合わせ形成された装身具が知られている。この装身具は肌に直接触れるように使用して、身体の血行を増進しようとするものである。
【０００４】  従前より、磁石を組み込んだ磁気装身具は、多種多様な商品が開発されており、１つの例として腕時計のバンドのように金属を多数連結させて形成し、それらが直接肌に触れるため動くたびに違和感があった。それらは金属片に永久磁石を埋設あるいは着磁させたり、彫金嵌合乃至鍍金加工を施し高価なものとなると共に磁力を身体に附与するのみのものであった。
【考案の開示】
【考案が解決しようとする課題】
【０００５】  従前の装身具に於いて、止め具部及び締め具部の装用に拘わる、合理性に課題を残したものであり、不便を来たしていた。【０００６】  また止め具及び締め具に５０〜１００ｍＴの希土類系磁石を嵌合して磁成体化し、その磁力を適度の強さとしたので、希士類系磁石より発現する機能性イオン効果も含め、磁気の効能を更に向上することができる。【０００７】  よって本考案は、これらの問題点を解決する為になされたものであって、その目的は、装用が合理性に富み簡便にて、持続性の高い磁気装用具及び健康増進機能性を有する、止め具及び締め具を得ようとするものである。
【課題を解決するための手段】
【０００８】  本考案が、自然環境での最良と言われている、森林・川辺・滝壷の周辺に於ける、約５００〜３０００個のネガティブイオンが存在していることから、自然環境と同等にすることは、理想的なイオン環境数値といえる。【０００９】  本考案は、止め具及び締め具の形状に於いて、装着持の合理性を追求し、さらに機能性を付与することにより、例えば、血行を良くすると言われている磁束密度が５０〜１００ｍＴである事と、健康増進効果をもたらすネガティブイオンを、約５００〜３０００個放出していることを特徴とする。
【考案の効果】
【００１０】  本考案は、前述したように構成しており、装用性を踏まえその構造をシンプルにしたことで、装着が簡便にて短縮された。その成分組成を、サマリウムコバルト系乃至フェライト系若しくは希土類プラス、フェライトのハイブリット磁石を特徴とする組成体を嵌合せしめ、その組成体より発現する機能性イオンは、自然環境での最良と言われている、森林・川辺・滝壷の周辺に於ける約５００〜３０００個のネガティブイオンが存在している事から、それと同等で、理想的なイオン環境数値といえる。それは機能性イオンが生体に取り込まれると、生体を酸性傾向からアルカリ性傾向になり、免疫力を高めるという事も含め、磁力の効能を更に向上することができることを奏する。
【考案の実施するための最良の形態】
【００１１】  本考案は、止め具及び締め具にして、その成分組成がサマリウムコバルト系乃至フェライト系若しくは希土類プラス、フェライトのハイブリット磁石を特徴とする組成体を、嵌合したことと、止め具及び締め具の形状をシンプルにしたことで簡単に装着することができる。
【００１２】  また、磁力を適度の強さとして肌に当たるようにしたので、機能性イオン効果も含め、磁力の効能を更に向上することができる。
【００１３】  法規制レベル３７０ベクレル／ｇ以内の制定された安全基準を厳守し、無機ゲルマニウム乃至ラジウム乃至トリウムほかセレニウム、、成分組成の最も主要な特徴としたことで、無機ゲルマニウム乃至ラジウム乃至トリウムほかセレニウム、より産生する微量放射線ホルミシスは、生体を刺激し各種ホルモンの分泌を促し、生体機能の増進や細胞賦活作用をもち恒常性維持機能ホメオスターシスを増進させる働きがあります。したがって、機能性イオン効果も含め磁気装用具の効能をさらに、向上することができる。
【００１４】  自然環境での最良と言われている、森林・川辺・滝壷の周辺に於ける約５００〜３０００個のネガティブイオンが存在している事から、それと同等の発生量とすることが望ましい。したがって最良の自然環境と同等で理想的なイオン環境数値といえることを特徴とする。
【実施例】
【００１５】  かかる目的を達成した本考案の一実施例である。下記の例によって本考案が実施例だけに限定されるものではない。【００１６】  以下、添付図面に従って一実施例を説明する。図１の（１）は雄型ｂには先端部に嵌合穴ｅが形成され、雌型ａには裏面中奥に嵌合穴ｅ連結固定用の嵌合突起ｆが成型された止め具及び締め具ｃ，ｄの上面図である。（２）は雄型ｂと雌型ａに成型された止め具及び締め具ｃ，ｄの側面図である。（３）は雄型ｂと雌型ａに成型された止め具をスライド挿入した、嵌合状態を示す裏面図である。【００１７】  本考案は、法規制レベル３７０ベクレル／ｇ以内の制定された安全基準を厳守し、成分組成である無機ゲルマニウム乃至ラジウム乃至トリウムほかセレニウム、より産生する微量放射線ホルミシスは、生体を刺激し各種ホルモンの分泌を促し、生体機能の増進や細胞賦活作用をもち恒常性維持機能ホメオスターシスを増進させる働きがあるので、機能性イオン効果も含め磁気装身具の効能をさらに、向上することができる。さらに、自然環境での最良と言われている、森林・川辺・滝壷の周辺に於ける約５００〜３０００個のネガティブイオンが存在していることから、前述したそれと同等の発生量としたので、理想的なイオン環境数値といえることを特徴とした。
【図面の簡単な説明】
【００１８】
【図１】  本考案１実施例の機能性装用具。  （１）１実施例の機能性装用具の上面図。  （２）１実施例の機能性装用具の側面図。  （３）１実施例の機能性装用具の嵌合裏面図。
【符号の説明】
【００１９】ａ  雌型止め具
ｂ  雄型止め具
ｃ  締め具
ｄ  締め具
ｅ  嵌合穴
ｆ  嵌合突起
【図１】
0003117851.tif 000003
【手続補正書】
【提出日】平成17年9月2日(2005.9.2)
【手続補正１】
【補正対象書類名】実用新案登録請求の範囲
【補正対象項目名】全文
【補正方法】変更
【補正の内容】
【実用新案登録請求の範囲】
【請求項１】
本考案は、ベルト用乃至ブレスレット及びアンクレット用の止め具にして、オス型及びメス型の嵌合部形状を有する部材を用いワンタッチ挿入着脱を可能にせしめた該止め具を帯状乃至紐状の端辺に用い締め具としたことを特徴とする、装用具。
【請求項２】
本考案は、その成分組成がゲルマニウム及びラジウム乃至トリウム、若しくはセレニウム、の何れか１つ以上の成分組成からなる微量放射生物質で、法規制３７０ベクレル以下を２５％程度、及び、ボロン５％程度が含まれていることを特徴とする、請求項１の装用具。
【請求項３】
本考案は、止め具にして、該止め具の表面に於いて磁束密度が約５０〜１００ｍＴであることを特徴とする、請求項１、請求項２の装用具。